(57)【要約】【課題】防災頭巾、防火マント、寝袋等の多機能の防災用具をバックに備えることができる防災用品兼用バッグを提供する。【解決手段】平時は手提げ袋Ａとし災害発生時は頭部に被って防災頭巾Ｂとする袋本体１０を設け。防火マントＣ若しくは寝袋Ｄとして展開する防火性布状物２０を設ける。該防火性布状物２０を二つ折り状になるように折りたたみ、袋本体１０の底部１１から側面部１２の内側に沿って配置する。手提げ袋Ａに収納する内袋３０を別体で設ける。防火性布状物２０の内がわに内袋３０を着脱自在に配置する。【選択図】  図５
2013244320.tif 000002
【特許請求の範囲】
【請求項１】
平時は手提げ袋とし災害発生時は頭部に被って防災頭巾とする袋本体と、袋本体の内部に収納され、防火マント若しくは寝袋として展開するように設けられた防火性布状物とで構成され、該防火性布状物を二つ折り状になるように折りたたみ、袋本体の底部から側面部の内側に沿って配置し、該防火性布状物を防災頭巾の緩衝材としたことを特徴とする防災用品兼用バッグ。
【請求項２】
前記袋本体の前記手提げ袋に収納する内袋を別体で設け、二つ折り状に折りたたまれた前記防火性布状物の内がわに該内袋を着脱自在に配置した請求項１記載の防災用品兼用バッグ。
【請求項３】
前記袋本体の側面部に、開口部から底部に至る切離し部を設けると共に、該切離し部に沿って底部から側面部の内側に配置する二つ折り状の導入片を設け、該導入片に重ねた前記防火性布状物を切離し部から袋本体の内部に配置するように構成した請求項１又は２記載の防災用品兼用バッグ。
【請求項４】
前記防火性布状物は、前記防火マントの内側に前記寝袋に展開する防火性布状物が設けられると共に、防火マント部分と寝袋部分とが着脱自在に設けられた請求項１乃至３いずれか記載の防災用品兼用バッグ。
【請求項５】
前記手提げ袋に、防煙用マスク若しくは緊急用笛をアクセサリーとして装着した請求項１記載の防災用品兼用バッグ。
【発明の詳細な説明】
【技術分野】
【０００１】
本発明は、日常使用しているバックを災害発生時に防災頭巾として使用し、更に、緊急避難先で防火マントや寝袋などの防災用品として使用することができる防災用品兼用バッグに関する。
【背景技術】
【０００２】
防災頭巾のフード部に、防刃性防護衣料を取り付けた防災頭巾が特許文献１に記載されている。この防護衣料は、防刃性能を有する高強度繊維等からなるもので、防災頭巾の首部に設けられた収納部に防護衣料が収納され、緊急時にこの防護衣料を引き出して使用するものである。
【０００３】
また、多機能な収納部を有する組み立て式防災頭巾が特許文献２に記載されている。この防災頭巾は、防災頭巾の裏面に複数の収納部が設けられており、この収納部に、下着やタオルを収納することで防災頭巾の緩衝材として使用する。
【０００４】
さらに、ヘルメット機能を備えた物入れが特許文献３に記載されている。この物入れは、袋状を成した物入れ本体の底部に衝撃吸収体を配設し、災害時には、この物入れを頭にかぶることで、頭部を保護するヘルメットとして使用するものである。
【先行技術文献】
【特許文献】
【０００５】
【特許文献１】特許第４３８８７１６号公報
【特許文献２】特許第４６９０４９１号公報
【特許文献３】実用新案登録第３１７３３１１号公報
【発明の概要】
【発明が解決しようとする課題】
【０００６】
特許文献１や特許文献２に記載の防災頭巾では、防災頭巾自体が嵩張る構造になっており、学校の備品として椅子や机にかけておくことは可能でも、この防災頭巾を日々持ち歩くことは困難である。
【０００７】
しかも、特許文献２に記載の防災頭巾は、複数の収納部に下着やタオルを収納するものなので、収納可能な品は収納部のサイズに限定されることになる。したがって、緩衝材として使用する物品を収納できても、避難の過程で必要な防火マントや、避難所などで必要になる寝袋等を収納することは不可能であった。
【０００８】
また、特許文献３に記載の物入れは、日常は手提げ袋として使用しながら、災害時にこの手提げ袋を逆向きにして頭に被り、ヘルメットとして使用することができる。ところが、物入れの底部に衝撃吸収体を収納しているものなので、日常、手提げ袋として持ち歩く際に重量が極めて重くなる不都合があった。しかも、この物入れは、災害時発生時にヘルメットとして使用することは可能でも、前述の防災頭巾と同様に、避難の過程で必要な防火マントや、避難所などで必要になる寝袋等の防災用具としての使用はできない構造であった。
【０００９】
すなわち、地震発生時には、落下物から頭部を保護する必要があるので、防災頭巾の利用は極めて重要である。ところが、その後、安全な場所に一時避難しようとする際に、火災現場の火炎や火の粉を防ぎながら退避する場合がある。このような場合、防災頭巾よりも、むしろ身体を被覆する耐火性のマントが有効である。更に、安全な場所に一時避難した後は、そこで、休息をとり、できるだけ体力の回復を待つことが重要になる。この場合には、休息に使用できる寝袋が極めて効果的である。
【００１０】
このように、災害が発生した場合は、発生直後の落下物に対する耐衝撃機能や、避難所に移動する過程での耐火機能、更に、避難所等での休憩機能など、防災用品に求められる機能が刻々と変化する。ところが、これらの機能に応じた防災頭巾や防火マント、寝袋等を日常的に持ち歩くことは、到底現実的ではないと思われていた。
【００１１】
そこで本発明は、上述の課題を解消すべく創出されたもので、災害発生直後に必要な防災頭巾や、火災現場から退避する際に必要な防火マント、あるいは避難所等での休憩に必要な寝袋として利用できる多機能の防災用具を、日常持ち歩くバックにコンパクトに備えることができ、災害時において極めて有効な利用ができる防災用品兼用バッグの提供を目的とするものである。
【課題を解決するための手段】
【００１２】
上述の目的を達成すべく本発明における第１の手段は、平時は手提げ袋Ａとし災害発生時は頭部に被って防災頭巾Ｂとする袋本体１０と、袋本体１０の内部に収納され、防火マントＣ若しくは寝袋Ｄとして展開するように設けられた防火性布状物２０とで構成され、該防火性布状物２０を二つ折り状になるように折りたたみ、袋本体１０の底部１１から側面部１２の内側に沿って配置し、該防火性布状物２０を防災頭巾Ｂの緩衝材としたことにある。
【００１３】
第２の手段は、前記袋本体１０の前記手提げ袋Ａに収納する内袋３０を別体で設け、二つ折り状に折りたたまれた前記防火性布状物２０の内がわに該内袋３０を着脱自在に配置したものである。
【００１４】
第３の手段において、前記袋本体１０の側面部１２に、開口部１７から底部１１に至る切離し部１４を設けると共に、該切離し部１４に沿って底部１１から側面部１２の内側に配置する二つ折り状の導入片１５を設け、該導入片１５に重ねた前記防火性布状物２０を切離し部１４から袋本体１０の内部に配置するように構成した。
【００１５】
第４の手段において、前記防火性布状物２０は、前記防火マントＣの内側に前記寝袋Ｄに展開する足入れ部Ｄ１が設けられると共に、防火マントＣと足入れ部Ｄ１とが着脱自在に設けられている。
【００１６】
第５の手段は、前記手提げ袋Ａに、防煙用マスクＥ若しくは緊急用笛Ｆをアクセサリーとして装着したものである。
【発明の効果】
【００１７】
本発明の請求項１によると、防火マントＣ若しくは寝袋Ｄに展開するように設けられた防火性布状物２０を、防災頭巾Ｂの緩衝材としたことで、日常持ち歩く手提げ袋Ａに、多機能の防災用具を極めてコンパクトに備えることが可能になった。この結果、災害初期の避難や避難後の待機時期に至るまで、異なった場面で極めて有効な利用ができるものである。
【００１８】
請求項２によると、手提げ袋Ａに収納する内袋３０を別体で設け、二つ折り状に折りたたまれた防火性布状物２０の袋内部に該内袋３０を着脱自在に配置しているので、災害時には、日常使用している内袋３０を取り除くだけで、簡単に防災頭巾Ｂとして利用できる。したがって、緊急時に迅速な対応をすることができる。
【００１９】
請求項３のごとく、袋本体１０の側面部１２に、開口部１７から底部１１に至る切離し部１４を設けると共に、該切離し部１４に沿って底部１１から側面部１２の内側に沿って配置する二つ折り状の導入片１５を設け、導入片１５に重ねた前記防火性布状物２０を切離し部１４から袋本体１０の内部に配置するように構成したことで、折りたたんだ防火性布状物２０を袋本体１０内に均一に配置することができる。しかも、配置後は導入片１５によって防火性布状物２０が隠れてしまうから、防火性布状物２０が平時の手提げ袋Ａとしての使用の妨げにならずに済む。
【００２０】
請求項４のように、防火性布状物２０は、防火マントＣの内側に寝袋Ｄに展開する防火性布状物２０が設けられると共に、防火マント部分と寝袋部分とが着脱自在に設けられているので、防火マントＣや寝袋Ｄへの使い回しが簡単に行うことが可能になり、避難状況に応じた合理的な使用ができる。
【００２１】
請求項５のごとく、手提げ袋Ａに、防煙用マスクＥ若しくは緊急用笛Ｆをアクセサリーとして装着したことで、より多機能な防災用品としての利用が可能になるものである。この結果、平時において日常的に使用する手提げ袋Ａと共に、災害時の対応が可能な多機能の防災用品を日常的に携帯することを可能にし、高い安心感が得られるので日常の心理的効果も絶大である。
【図面の簡単な説明】
【００２２】
【図１】本発明の袋本体と内袋とを示す分解斜視図である。
【図２】本発明の袋本体の内部に防火性布状物を配置した側面図である。
【図３】本発明の袋本体の内部に配置する防火性布状物の折りたたみ状態を示し、（イ）は配置前、（ロ）は二つ折り状に折りたたみながら配置する側面図である。
【図４】本発明の袋本体を防災頭巾に使用する際の側面図である。
【図５】本発明を防災頭巾として使用する状態を示す斜視図である。
【図６】本発明を防災頭巾として装着した状態を示す正面図である。
【図７】本発明の袋本体から防火性布状物を取り出す状態を示し、（イ）は袋本体を裏返しにした状態、（ロ）は防火性布状物を展開する状態を示す側面図である。
【図８】本発明を防火マントして展開した状態を示す側面図である。
【図９】本発明を防火マントして使用する他の状態を示す側面図である。
【図１０】本発明の防火マントを袋本体から切り離した状態を示す正面図である。
【図１１】本発明の防火マントから寝袋を展開する状態を示す正面図である。
【図１２】本発明の寝袋を展開した状態を示す正面図である。
【図１３】本発明を寝袋として使用する状態を示す正面図である。
【図１４】本発明を寝袋として使用している状態を示す正面図である。
【図１５】本発明の寝袋を分離した状態を示す正面図である。
【図１６】本発明の防火性布状物を折り畳む状態を示し、（イ）は寝袋を防火マントに折りたたみ、（ロ）はそれを裏返しにした状態を示す図である。
【図１７】本発明の防火性布状物を折りたたむ状態を示し、（イ）は防火マントの片側を折りたたみ、（ロ）は両側を内側に折りたたんだ状態を示す図である。
【図１８】本発明の防火性布状物を折りたたむ状態を示し、（イ）は上下を打つ側に折りたたみ、（ロ）は更に更に上部を内側に折りたたんだ状態を示す図である。
【図１９】本発明の防火性布状物を折りたたむ状態を示し、（イ）は一方を他方の内部に折り込む状態を示し、（ロ）は全体を二つ折り状に折りたたんだ状態を示す図である。
【発明を実施するための形態】
【００２３】
本発明によると、日常持ち歩くバックに多機能の防災用具を極めてコンパクトに備えることができ、災害初期の避難や避難後の待機時期に至るまで、異なった場面で有効な利用ができるなどといった当初の目的を達成した。
【００２４】
以下、本発明の実施例を説明する。本発明防災用品兼用バッグの基本構成は、袋本体１０と防火性布状物２０とで構成されている（図２参照）。
【００２５】
袋本体１０は、平時は手提げ袋Ａとし（図１参照）、災害発生時は頭部に被って防災頭巾Ｂとするもので（図６参照）、袋本体１０の材質は、手提げ袋Ａとして一般的に使用されている布、皮革、合成皮革、合成樹脂等などが選択使用される。袋本体１０は、底部１１から一対の側面部１２が延長され、側面部１２の開口部１７には一対の把手１３が設けられている（図１参照）。この把手１３は、一般的な手提げ袋と同様に、ショルダーに変更することも可能である。更に、この手提げ袋Ａに、防煙用マスクＥや、緊急用笛Ｆなどの防災用品をアクセサリーとして装着しておくことができる。
【００２６】
防火性布状物２０は、袋本体１０の内部に収納されている（図２参照）。そして、防火マントＣや寝袋Ｄに展開するように設けられた部材である（図９、図１４参照）。この防火性布状物２０は、防火マントＣから寝袋Ｄに展開する防火性布状物２０であっても良い。本発明において防火性布状物２０とは、布、不織布、シート材、フィルム材などの材質が選択され、折りたたみ自在な材質にて構成する。また、防火マントＣとして使用する防火性能は、防火性布状物２０の材質自体が防火性能を有するものから、防火性のある材質を表面に加工し、あるいは材質に混合したものなどでもよい。例えば、防火加工を施した各種の布や不織布、あるいは、アルミ蒸着処理を施した各種フィルム材や各種シート材などが利用可能である。
【００２７】
このような防火性布状物２０を二つ折り状になるように折りたたみ、袋本体１０の底部１１から側面部１２の内側に沿って配置する（図２参照）。このとき、開口部１７から底部１１に至る切離し部１４を、ファスナー等で設けている。更に、この切離し部１４に沿って底部１１から側面部１２の内側に配置する二つ折り状の導入片１５を設けている（図３（イ）参照）。二つ折り状の導入片１５は、袋本体１０とほぼ同じ大きさをなしている（図３（ロ）参照）。この導入片１５は、防火性布状物２０を袋本体１０の内部に配置する際に、折りたたんだ防火性布状物２０を簡単に導入するように構成したものである（図１７乃至図１９参照）。
【００２８】
また、袋本体１０の開口部１７には折り込み片１６を設け、この折り込み片１６で、袋本体１０内部の防火性布状物２０を覆うように設けている。この折り込み片１６は、平時は袋本体１０の内側に折り返しているが、災害時には、袋本体１０の内部から展開して防災頭巾Ｂの肩当てとして使用するものである（図６参照）。
【００２９】
袋本体１０に収納した収納防火性布状物２０は、防災頭巾Ｂの緩衝材として使用される（図５参照）。このとき、防火性布状物２０が薄い材質であっても、防火マントＣや寝袋Ｄの面積を有する防火性布状物２０を二つ折り状になるように折りたたむと、折りたたんだ多数の層に多くの間隙が生じる。これらの間隙や何層にも折り重なった防火性布状物２０が一体になることで緩衝材になるものである。
【００３０】
図示の袋本体１０を平時の手提げ袋Ａとして使用する際に、この手提げ袋Ａに収納する内袋３０を別体で設けている（図１参照）。そして、二つ折り状に折りたたまれた防火性布状物２０の内がわに、この内袋３０を着脱自在に配置するように構成している。この内袋３０の使用により、平時は、防火性布状物２０の折りたたみ形状を崩すことなく、通常の手提げ袋Ａと同様に使用することができる。しかも、災害時は、内袋３０を抜き取るだけで、即、防災頭巾Ｂとして利用することができる。
【００３１】
本発明を防災頭巾Ｂとして使用する場合は、袋本体１０の開口部１７を下に向けて頭部に被るのみで防災頭巾Ｂとなる（図４参照）。この場合、前述した切離し部１４を設けておくことで、より被り易い防災頭巾Ｂを形成することができる（図５参照）。また、袋本体１０の幅が広い場合は、切離し部１４がなくともそのまま被ることが可能になる。
【００３２】
図示例の防災頭巾Ｂは、手提げ袋Ａの把手１３相互をスナップボタンや面ファスナー等で接続する接続具１３Ａを設けてある（図４参照）。そして、防災頭巾Ｂ使用時に、相互の把手１３を接続具１３Ａにて連結することで、把手１３をアゴかけとして使用するものである（図６参照）。
【００３３】
図７乃至図１０は、本発明を防火マントＣとして使用する形態を説明している。まず、防災頭巾Ｂから防火マントＣに変更するには、防災頭巾Ｂの裏表を逆にすると（図７（イ）参照）、導入片１５が表出する。この防火性布状物２０を展開すると、導入片１５の中から二つ折り状の防火性布状物２０が表出する（図７（ロ）参照）。
【００３４】
更に防火性布状物２０を展開し、防火マントＣの身頃部分Ｃ２まで展開すると、防火マントＣの頭部Ｃ１から導入片１５が突出した状態になる（図８参照）。この状態で使用することも可能であるが、導入片１５を防火マントＣの頭部Ｃ１内に収めることで、防火マントＣが完成する（図９参照）。図示の防火マントＣは、頭部Ｃ１を袋本体１０の内側に重なるように設けてあり、袋本体１０の切離し部１４と開口部１７とに沿って袋本体１０に固定している。また、頭部Ｃ１を袋本体１０と分離するようにしても良い。また、防火マントＣの頭部Ｃ１と身頃部分Ｃ２とを分離するように構成し、別々に使用することも可能である（図１０参照）。
【００３５】
図１１乃至図１５は、本発明を寝袋Ｄとして使用する形態を説明している。図示の寝袋Ｄは、防火マントＣから寝袋Ｄに展開する例を示している。この場合、防火性布状物２０は、防火マントＣの身頃部分Ｃ２内側に寝袋Ｄに展開する袋状の足入れ部Ｄ１が折りたたまれている（図１１参照）。そこで、この折りたたまれた足入れ部Ｄ１を展開すると寝袋Ｄが形成される（図１２参照）。防火マントＣの下端部と足入れ部Ｄ１の開口部１７に連結ファスナー２１が設けられており、この連結ファスナー２１を綴じると上下がつながった寝袋Ｄが形成される（図１３参照）。更に、防火マントＣの身頃部分Ｃ２相互を連結するファスナーＣ３を綴じると、寝袋Ｄが完成する（図１４参照）。このとき、防火マントＣの身頃部分Ｃ２と足入れ部Ｄ１とを連結ファスナー２１で分離すると、子供用の寝袋や、他の用途に利用することが可能になる（図１５参照）。
【００３６】
図１６乃至図１９は、防火性布状物２０を二つ折り状に折りたたむまでの手順を示している。まず、寝袋Ｄに展開する足入れ部Ｄ１を防火マントＣの身頃部分Ｃ２に折り重ねる（図１６（イ）参照）。そして、この状態で防火性布状物２０を裏返しにする（図１６（ロ）参照）。次に、防火マントＣの身頃部分Ｃ２を左右から中央に向けて折りたたむ（図１７（イ）、（ロ）参照）。更に、折りたたまれた状態の下部から中央に向けて折りたたみ（図１８（イ）参照）、中央から再び折りたたみ、導入片１５とほぼ同じ大きさになるまで折りたたむ（図１８（ロ）参照）。
【００３７】
そして、防火性布状物２０を導入片１５に重ねるようにして袋本体１０の内部に挿入すると（図１９（イ）参照）、導入片１５の内側に、二つ折り状の防火性布状物２０が形成される（図１９（ロ）参照）。この状態から導入片１５を内側にするように袋本体１０を裏返しにすると、図２の状態になる。その後、切離し部１４を閉じ、折り込み片１６を袋本体１０内に折り込むと、図１に示す手提げ袋Ａが形成される。
【符号の説明】
【００３８】
Ａ  手提げ袋
Ｂ  防災頭巾
Ｃ  防火マント
Ｃ１  頭部
Ｃ２  身頃部分
Ｃ３  ファスナー
Ｄ  寝袋
Ｄ１  足入れ部
１０  袋本体
１１  底部
１２  側面部
１３  把手
１３Ａ  接続具
１４  切離し部
１５  導入片
１６  折り込み片
１７  開口部１７
２０  防火性布状物
２１  連結ファスナー
３０  内袋
３１  把手
【図１】
2013244320.tif 000003
【図２】
2013244320.tif 000004
【図３】
2013244320.tif 000005
【図４】
2013244320.tif 000006
【図５】
2013244320.tif 000007
【図６】
2013244320.tif 000008
【図７】
2013244320.tif 000009
【図８】
2013244320.tif 000010
【図９】
2013244320.tif 000011
【図１０】
2013244320.tif 000012
【図１１】
2013244320.tif 000013
【図１２】
2013244320.tif 000014
【図１３】
2013244320.tif 000015
【図１４】
2013244320.tif 000016
【図１５】
2013244320.tif 000017
【図１６】
2013244320.tif 000018
【図１７】
2013244320.tif 000019
【図１８】
2013244320.tif 000020
【図１９】
2013244320.tif 000021
【手続補正書】
【提出日】平成24年7月12日(2012.7.12)
【手続補正１】
【補正対象書類名】特許請求の範囲
【補正対象項目名】請求項４
【補正方法】変更
【補正の内容】
【請求項４】
前記防火性布状物は、前記防火マントの内側に前記寝袋に展開する足入れ部が設けられると共に、防火マントと足入れ部とが着脱自在に設けられた請求項１乃至３いずれか記載の防災用品兼用バッグ。